【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
−吸入に適した一投薬量の薬物粉末を収容するように各々が適合されておりかつその中身が連続的に吸入されるように空気の流れ（Ｆａ）に順番に露出され得るように連続的に配置されている複数のポケット（１７；５１７）を含む投薬キャリア（１５；５１５、５２４）と、
−前記投薬キャリア（１５）のポケット（１７；５１７）内に配置される複数の薬物粉末投薬量（Ｘ；Ｘ１、Ｘ２）と、
を有し、前記薬物粉末投薬量が、等しいグループのシーケンスに従って前記ポケット内に規則的に配分される、乾燥粉末吸入器用の投薬ユニットにおいて、
各グループが、薬学的活性成分を含んでいない賦形剤粉末を収容する少なくとも１つのブランクポケット（Ｂ）と一投薬量の薬物粉末（Ｘ；Ｘ１、Ｘ２）を収容している少なくとも１つのポケットとを含むことを特徴とする、
投薬ユニット。
【請求項２】
前記投薬キャリア（１５）が円板形の支持構造体（２１）を有し、前記ポケット（１７）が前記支持構造体内で環状の構成で保持され、前記支持構造体が、前記ポケット（１７）の中身を順番に露出するために前記乾燥粉末吸入器（１）内に回転可能に装着されるように適合されることを特徴とする、請求項１に記載の投薬ユニット。
【請求項３】
前記円板形の支持構造体（２１）が環状構成の貫通孔（２３）を有し、および、前記投薬キャリア（１５）が前記ポケット（１７）を画定する剛体挿入物（２５）をさらに有し、前記挿入物の各々が、保管位置にあるときは前記それぞれの貫通孔（２３）内に摺動可能に収容されており、前記ポケットの中身を前記空気流れ（Ｆａ）に露出する際に、前記保管位置から、前記円板形の支持構造体（２１）から突出する分配位置に変位されるように適合されることを特徴とする、請求項２に記載の投薬ユニット。
【請求項４】
前記投薬キャリアが連続する空洞（５１７）によって形成される細長いストリップ（５１５）を有しており、前記連続する空洞（５１７）が前記ストリップの主方向（Δ）に沿うように配置される前記ポケットを画定することを特徴とする、請求項１に記載の投薬ユニット。
【請求項５】
前記細長いストリップ（５１５）が可撓性でありその形状を曲げることができ、前記ポケット（５１７）の中身を順番に露出するために前記乾燥粉末吸入器内で巻き戻されるように適合されることを特徴とする、請求項４に記載の投薬ユニット。
【請求項６】
前記等しいグループの各々が、一投薬量の薬物粉末（Ｘ；Ｘ１、Ｘ２）を収容する１つのポケットと１つのブランクポケット（Ｂ）とから構成され、それにより、前記投薬ユニットの前記ポケットではブランクポケット（Ｂ）と一投薬量の薬物粉末（Ｘ；Ｘ１、Ｘ２）を含んだものとが交互になることを特徴とする、請求項１から５までのいずれか一項に記載の投薬ユニット。
【請求項７】
前記薬物粉末（Ｘ；Ｘ１、Ｘ２）が薬学的活性単一の成分を含むことを特徴とする、請求項１から６までのいずれか一項に記載の投薬ユニット。
【請求項８】
前記薬学的活性単一の成分が、ムスカリン様Ｍ３受容体アゴニストまたは抗コリン作動薬、β２−アドレナリン受容体アゴニスト、ムスカリン様アンタゴニストおよびβ２−アゴニストの二重作用を有する化合物、ならびに、グルココルチコイド受容体アゴニストからなる群から選択されることを特徴とする、請求項７に記載の投薬ユニット。
【請求項９】
前記薬学的活性単一の成分が、イプラトロピウム、チオトロピウム、オキシトロピウム、トロスピウム、アクリジニウム、ペレンゼピン、テレンゼピン、エフェドリン、アドレナリン、イソプレナリン、メタプロテレノール、フェニレフリン、フェニルプロパノールアミン、ピルブテロール、レプロテロール、リミテロール、イソエタリン、カルモテロール、アルブテロール、テルブタリン、バンブテロール、フェノテロール、サルブタモール、ツロブテロール、ホルモテロール、サルメテロール、プレドニソン、プレドニソロン、フルニソリド、トリアムシノロンアセトニド、ベクロメタゾン、ブデソニド、フルチカゾン、シクレソニド、モメタゾン、ならびにその塩および／または溶媒化合物からなる群から選択される、請求項８に記載の投薬ユニット。
【請求項１０】
前記薬物粉末（Ｘ；Ｘ１、Ｘ２）が薬学的活性成分の組合せを含むことを特徴とする、請求項１から６までのいずれか一項に記載の投薬ユニット。
【請求項１１】
薬学的活性成分の前記組合せが、β２−アドレナリン受容体アゴニストとグルココルチコイド受容体アゴニストとの組合せであることを特徴とする、請求項１０に記載の投薬ユニット。
【請求項１２】
薬学的活性成分の前記組合せが、キシナホ酸サルメテロールとプロピオン酸フルチカソンとの組合せまたはブデソニドとフマル酸ホルモテロール脱水物との組合せである、請求項１１に記載の投薬ユニット。
【請求項１３】
請求項１から１２までのいずれか一項による第１の投薬ユニット（１０５ａ；２０５ａ；３０５ａ；４０５ａ；５０５ａ）と乾燥粉末吸入器用の第２の投薬ユニット（１０５ｂ；２０５ｂ；３０５ｂ；４０５ｂ；５０５ｂ）とを含むパックであって、
−吸入に適した一投薬量の薬物粉末を収容するように適合されておりかつその中身が連続的に吸入されるように空気の流れ（Ｆｂ）に順番に露出され得るように連続的に配置されている複数のポケット（１７；５１７）を含む投薬キャリア（１５；５１５）と、
−前記第２の投薬ユニット（１０５ｂ；２０５ｂ；３０５ｂ；４０５ｂ；５０５ｂ）の前記ポケットのすべてが一薬物粉末投薬量を含むように、前記投薬キャリア（１５；５１５）の前記それぞれのポケット（１７；５１７）内に配置される複数の薬物粉末投薬量（Ｙ；Ｙ１、Ｙ２）と、
を有するパック。
【請求項１４】
前記第１の投薬ユニット（１０５ａ；２０５ａ；３０５ａ；４０５ａ；５０５ａ）の前記投薬キャリア（１５；５１５）および前記第２の投薬ユニット（１０５ｂ；２０５ｂ；３０５ｂ；４０５ｂ；５０５ｂ）の前記投薬キャリア（１５；５１５）のポケット（１７；５１７）の配置が等しいことを特徴とする、請求項１３に記載のパック。
【請求項１５】
前記第２の投薬ユニット（１０５ａ；２０５ａ；５０５ａ）の前記薬物粉末（Ｙ）が薬学的活性単一の成分を含むことを特徴とする、請求項１３または１４に記載のパック。
【請求項１６】
前記薬学的活性単一の成分が、ムスカリン様Ｍ３受容体アゴニストまたは抗コリン作動薬、β２−アドレナリン受容体アゴニスト、ムスカリン様アンタゴニストおよびβ２−アゴニストの二重作用を有する化合物、ならびに、グルココルチコイド受容体アゴニストからなる群から選択されることを特徴とする、請求項１５に記載のパック。
【請求項１７】
前記薬学的活性単一の成分が、イプラトロピウム、チオトロピウム、オキシトロピウム、トロスピウム、アクリジニウム、ペレンゼピン、テレンゼピン、エフェドリン、アドレナリン、イソプレナリン、メタプロテレノール、フェニレフリン、フェニルプロパノールアミン、ピルブテロール、レプロテロール、リミテロール、イソエタリン、カルモテロール、アルブテロール、テルブタリン、バンブテロール、フェノテロール、サルブタモール、ツロブテロール、ホルモテロール、サルメテロール、プレドニソン、プレドニソロン、フルニソリド、トリアムシノロンアセトニド、ベクロメタゾン、ブデソニド、フルチカゾン、シクレソニド、モメタゾン、ならびにその塩および／または溶媒化合物からなる群から選択される、請求項１６に記載のパック。
【請求項１８】
前記第２の投薬ユニット（１０５ａ；２０５ａ；５０５ａ）の前記薬物粉末（Ｙ）が薬学的活性成分の組合せを含むことを特徴とする、請求項１３または１４に記載のパック。
【請求項１９】
請求項１３から１８までのいずれか一項によるパック（１０５；２０５；３０５；４０５；５０５）と、前記第１の投薬ユニット（１０５ａ；２０５ａ；３０５ａ；４０５ａ；５０５ａ）のポケットおよびそれに対応する前記第２の投薬ユニット（１０５ｂ；２０５ｂ；３０５ｂ；４０５ｂ；５０５ｂ）のポケットのそれぞれの中身を同時に吸入用空気流れ（Ｆａ、Ｆｂ）に露出するための手段（９）とを有する、薬物粉末を患者に投与するための乾燥粉末吸入器。